(57)【特許請求の範囲】
【請求項１】
情報系列が互いに直交関係にある複数の搬送波を利用して多重化されたシンボルに対してＦＦＴを実行することにより、情報系列を復元する受信装置であって、
直接波に対する反射波の遅延量を算出する遅延量算出手段と、
前記遅延量をサンプリング間隔で除算した結果を用いて可変値である正の整数Ｎを決定するとともに、特定シンボルに含まれる受信データ列の中から、ＦＦＴサンプル数に前記Ｎを加えた数の連続した受信データを取得するデータ取得手段と、
前記データ取得手段により得られたデータ列に対して窓関数によるフィルタリングを実行するフィルタリング手段と、
前記フィルタリング処理後のデータ列の先頭から前記Ｎ番目までのデータ列を、当該フィルタリング処理後のデータ列の最後方のデータ列を含む末尾に加算し、前記ＦＦＴサンプル数と同数のＦＦＴ対象データ列を生成する加算手段と、
を備えることを特徴とする受信装置。
【請求項２】
前記窓関数を、時間幅の先頭からＮサンプル区間と最後尾からＮサンプル区間の加算結果が「１」となる窓関数とすることを特徴とする請求項１に記載の受信装置。
【請求項３】
前記遅延量算出手段は、各反射波の遅延量の中でその値が最大のものを最終的な遅延量として出力することを特徴とする請求項１または２に記載の受信装置。
【請求項４】
さらに、
ＦＦＴサンプル数に前記Ｎを加えた数の連続した受信データを対象とする受信処理を行うかどうかを判断する判断手段、
を備え、
前記データ取得手段は、前記判断手段が「ＦＦＴサンプル数に前記Ｎを加えた数の連続した受信データを対象とする受信処理を行わない」と判断した場合、ＦＦＴサンプル数と同数の連続した受信データを取得し、
前記データ取得手段により得られたデータ列をＦＦＴ対象データ列とすることを特徴とする請求項１〜３のいずれか一つに記載の受信装置。
【発明の詳細な説明】
【技術分野】
【０００１】
本発明は、無線通信装置を構成する受信装置に関し、特に、ＯＦＤＭ（Orthogonal  Frequency  Division  Multiplexing）方式を適用した無線通信システムの受信装置に関する。
【背景技術】
【０００２】
例えば下記非特許文献１などで言及されているように、ＯＦＤＭは、直交する複数の周波数のキャリアを多重して伝送する技術であり、割り当てられた周波数帯域を効率的に利用できることから、近年、多くの通信分野で利用されている技術である。
【０００３】
反射などによりマルチパスが存在する伝送環境下では、受信端には異なる遅延を持った複数の反射波（遅延波）が到来することになるが、ＯＦＤＭではシンボルデータの後尾の一部をコピーしてシンボルの先頭部分に付加して送信することにより、遅延波によるシンボル間の干渉を排除している。この付加された繰り返しの部分はサイクリック・プレフィックス（Cyclic  Prefix、以下、ＣＰと記載する）と呼ばれている。
【０００４】
図８はＯＦＤＭにおけるデータの変復調単位であるシンボルを示す図である。図８に示したように、ＯＦＤＭでは、本来の伝送すべきシンボルデータ１０１の後尾の部分をＣＰ１０２として先頭部分に付加することによりシンボルを生成する。図８において、「ＴS」は本来の伝送すべきシンボルデータの時間長であり、「Ｔ」はＣＰ部分も含めた時間長である。
【０００５】
また、図９は図８に示したシンボルが複数の反射波を伴って受信側に到達したときの様子の一例を示した図である。図９において、１１０は直接到来した受信波、１１１および１１２は、それぞれ時間τ1、τ2の遅延をもって到来した受信波（遅延波＃１，＃２）である。受信端では、これらの受信波１１０、１１１および１１２が合成された信号を受信することになる。図９に示すように、遅延波がある場合でも区間１１３の部分を切り取ってＦＦＴ（Fast  Fourier  Transform）を実行することにより、前シンボルの成分が入り込まない当該シンボルだけの成分を対象としたＦＦＴが実行され、シンボル間の干渉を排除することができる。
【０００６】
このように、ＯＦＤＭを使った通信システムでは、遅延波の遅延時間がＣＰに相当する時間範囲内に収まっている場合には、シンボル間の干渉を排除することができる。なお、ＣＰによるシンボル間の干渉抑圧技術は、ＳＣ−ＦＤＭＡ（Single-Carrier  Frequency  Division  Multiple  Access）などでも使用されている。
【０００７】
【非特許文献１】伊丹  誠「OFDM変調の基礎とシステム実現のための諸技術」電子情報通信学会誌  Vol.85  No.12  pp.925-931  2002年12月
【発明の開示】
【発明が解決しようとする課題】
【０００８】
受信側において受信データから切り出したＦＦＴ入力データは、本来首尾が連続した波形となることが期待される。しかし、送受信器間の周波数偏差、位相雑音が大きい場合には、ＦＦＴ入力データの首尾で不連続性が生じ、この時間領域の不連続性は周波数領域でのスペクトルの拡がりをもたらす。そして、スペクトルの拡がりは他のチャネルへの干渉成分となり、結果として受信性能の低下を引き起こす、という問題があった。
【０００９】
特にＯＦＤＭでは、周波数利用効率を高めているためキャリア間隔が狭く、送受信器間の周波数偏差やジッタによる干渉成分の影響を受けやすい。
【００１０】
本発明は、上記に鑑みてなされたものであって、ＯＦＤＭを適用した通信システムにおいて、周波数偏差がある場合などに発生するチャネル間の干渉を低減し、受信性能が低下するのを防止する受信装置を得ることを目的とする。
【００１１】
また、実現容易な回路にて、受信性能の低下を防止する受信装置を得ることを目的とする。
【課題を解決するための手段】
【００１２】
上述した課題を解決し、目的を達成するために、本発明は、情報系列が互いに直交関係にある複数の搬送波を利用して多重化されたシンボルに対してＦＦＴを実行することにより、情報系列を復元する受信装置であって、特定シンボルに含まれる受信データ列の中から、ＦＦＴサンプル数にＮ（Ｎは整数）を加えた数の連続した受信データを取得するデータ取得手段と、前記データ取得手段により得られたデータ列に対して窓関数によるフィルタリングを実行するフィルタリング手段と、前記フィルタリング処理後のデータ列の先頭からＮ番目までのデータ列を、当該フィルタリング処理後のデータ列の最後方のデータ列を含む末尾に加算し、前記ＦＦＴサンプル数と同数のＦＦＴ対象データ列を生成する加算手段と、を備えることを特徴とする。
【発明の効果】
【００１３】
この発明によれば、各シンボルに含まれるデータ列の中からＦＦＴサンプル数を超える数のデータを切り取り、窓関数との乗算を行った後、切り取ったデータ列の先頭部分を最後尾部分に加算することによりＦＦＴサンプル数と同数のデータ列を生成し、この生成したデータ列に対してＦＦＴを実行するようにしたので、送信機（対向する送信側の通信装置）との間の周波数偏差やジッタなどに起因する、ＦＦＴ入力データの首尾に生じる不連続性を緩和し、不連続性によって生じるチャネル間干渉により誤り率特性が劣化するのを防止できる、という効果を奏する。
【発明を実施するための最良の形態】
【００１４】
以下に、本発明にかかる受信装置の実施の形態を図面に基づいて詳細に説明する。なお、この実施の形態によりこの発明が限定されるものではない。
【００１５】
実施の形態１．
図１は、本発明にかかる受信装置の実施の形態１の構成例を示す図であり、この受信装置は、ＯＦＤＭを適用した通信システムの通信装置を構成する。
【００１６】
図１に示した受信装置１は、送信側から送信された信号を受信するアンテナ１１と、使用通信帯域外の周波数成分を除去するためのバンドパスフィルタ（ＢＰＦ：Band  Pass  Filter）部１２と、ＢＰＦ部１２から出力されたＲＦ信号をベースバンド信号に周波数変換するためのミキサ１３と、ミキサ１３がＲＦ信号をベースバンド信号に変換する際の周波数を決定する局部発振器であるＬＯ（Local  Oscillator）部１４と、ベースバンドに変換された受信信号の不要周波数成分を除去するローパスフィルタ（ＬＰＦ：Low  Pass  Filter）部１５と、入力されたアナログ信号をデジタル信号へ変換するＡＤ変換（ＡＤＣ：Analog  Digital  Converter）部１６と、ＡＤＣ部１６にてＡＤ変換されたデジタル信号データに対してシンボルの境界を検出し、シンボル境界のタイミングを示す制御信号を出力する同期制御部１７と、同期制御部１７から入力された制御信号に基づいて、各シンボルデータから、ＦＦＴの実行対象とする部分の切り出しを行い、さらに、切り出したデータに対して後述する窓関数によるフィルタリング処理を行う切り出し制御部１８と、切り出し制御部１８から出力されたデータに対して一部データの加算処理を行い、シンボル毎にＦＦＴ実行対象部分に含まれるデータ数分のデータを出力する波形整形部１９と、波形整形部１９から出力された時間領域のデータを周波数領域のデータへと変換するＦＦＴ（Fast  Fourier  Transform）部２０と、ＦＦＴ部２０から出力された周波数領域のデータに対して規定の変調方式に従って復調を行う復調部２１と、を備えている。
【００１７】
なお、切り出し制御部１８がデータ取得手段としての機能およびフィルタリング手段としての機能を有し、波形整形部１９が加算手段としての機能を有している。
【００１８】
また、上記シンボルとは、データの伝送に必要な最小の時間に対応する単位であり、送受信器では伝送するデータがシンボル毎に切り替わり、シンボル単位で変復調処理が行われる。
【００１９】
つづいて、本発明の主要部分を構成する切り出し制御部１８および波形整形部１９を中心に受信装置１の動作を説明する。
【００２０】
送信側の通信装置（送信機）から送信された信号は、アンテナ１１を介してＢＰＦ部１２へ入力され、ＢＰＦ部１２にて使用帯域外の周波数成分が除去された後、ミキサ１３によりベースバンド信号へ変換され、さらに、ＬＰＦ部１５により不要な周波数成分が除去される。そして、ＬＰＦ部１５から出力されたアナログ信号はＡＤＣ部１６にてデジタルへ変換された後同期制御部１７および切り出し制御部１８へ入力される。
【００２１】
同期制御部１７は、入力信号に含まれるパイロットシンボルなどを利用して、入力されたデジタル信号データのシンボル境界を検出し、シンボル境界のタイミングを示す制御信号を切り出し制御部１８に対して出力する。
【００２２】
切り出し制御部１８は、同期制御部１７から受け取った信号（受信信号のシンボル境界のタイミング示す制御信号）に基づいて、ＡＤＣ部１６からの入力データに対して窓関数によるフィルタリングを行うタイミングを制御し、入力データと窓関数との乗算を行う。例えば、図２に示すように窓関数の終端とシンボル境界とが等しくなるタイミングで、入力データと次式（１）に示した窓関数との乗算を行う。
【００２３】
【数１】
0005199660.tif 000002
【００２４】
すなわち、ＡＤＣ部１６から出力された信号のシンボル毎のデータ系列ｘi（ｉ＝０〜ＮT−１）に対して、ｉ＝Ｎg〜ＮT−１を抜き出し、上式（１）をｔsのサンプリング間隔でサンプリングした窓関数の離散系列ｗj（ｊ＝０〜ＮW−１)との間で次式（２）に示した演算を行い、フィルタリング後の系列ｙj（ｊ＝０〜ＮW−１)を得る。
【００２５】
【数２】
0005199660.tif 000003
【００２６】
但し、ＮTは各シンボルにおける入力データのサンプル数であり、サンプリング間隔をｔsとするとＴ＝ＮT・ｔSの関係が成り立つものとする。また、ＮWは、ＮW・ｔS＝ａ＋ＴSの関係を満たすものとし、Ｎgは、Ｎg＋ＮW＝ＮTの関係を満たすものとする。
【００２７】
次に、波形整形部１９は、切り出し制御部１８から出力されたシンボル毎の出力データ系列ｙj（ｊ＝０〜ＮW−１）に対して、次式（３）に示した演算を実行する。すなわち、図３に示したように、切り出し制御部１８からの出力データ系列ｙjの一部データの加算処理を行い、新たなデータ系列ｚk（ｋ＝０〜Ｎf−１）を得る。
【００２８】
【数３】
0005199660.tif 000004
【００２９】
但し、ＮaはＮa・ｔS＝ａの関係を満たすものとし、ＮfはＦＦＴ部２０にて実行するＦＦＴのサンプル数で、Ｎf・ｔS＝ＴSの関係を満たすものとする。
【００３０】
そして、ＦＦＴ部２０は、シンボル毎に波形整形部１９から出力される時間領域のデータ系列ｚk（ｋ＝０〜Ｎf−１）に対してＦＦＴを実行して周波数領域のデータ系列に変換し、復調部２１は、規定の変調方式に従って、波形整形部１９から受け取ったデータ系列の復調処理を行う。
【００３１】
このように、本実施の形態では、各シンボルにおける入力データに対してＦＦＴサンプル数ＮfよりもＮaだけ多いデータを切り取り、窓関数との乗算を行った後、先頭のＮaサンプルを終端のＮaサンプルに加算して得た計Ｎfサンプルのデータに対してＦＦＴを実行するようにした。これにより、送信機（対向する送信側の通信装置）との間の周波数偏差やジッタなどに起因する、ＦＦＴ入力データの首尾に生じる不連続性を緩和し、不連続性によって生じるチャネル間干渉により誤り率特性が劣化するのを防止できる。
【００３２】
なお、回路を構成するにあたり、従来の単純にＣＰの部分を除去して得られたデータ系列に対してＦＦＴを実行する構成と比較して、窓関数による乗算と一部データを加算する回路を追加した構成であるため、回路規模の増加量が抑えられ、容易に実現できる。また、窓関数の乗算後、首尾のデータの加算を行っているが、ノイズについては相関がなく平均化の効果があるため、基本的にノイズ成分を減少させＳＮ比を高める効果も得られる。
【００３３】
また、上述した例では窓関数として一部に余弦関数を使用しているが、シンボルの首尾の部分を加算して１となる条件を満たすものであれば良いため、例えば、図４に示すような窓関数を使用しても同様の効果が得られる。また、必ずしもこの例でのタイミングのように窓関数の終端をシンボル境界に合わせる必要はなく、遅延波における前シンボルのシンボル境界を跨らない範囲で窓関数を掛けるタイミングを手前に設定してもよい。
【００３４】
実施の形態２．
つづいて、実施の形態２の受信装置に関して説明する。上述した実施の形態１では、ＦＦＴを実行するデータ系列を生成するにあたって加算処理を実行する区間の長さを固定長とする場合の例について説明したが、本実施の形態では、この区間の長さを可変長とする場合の例について説明する。
【００３５】
シンボル間の干渉成分を抑制するために必要なＣＰ長は、反射などにより遅延が生じた遅延波の、送信機から直接到来した直接波（先行波）に対する遅延量に依存する。例えば、遅延量が小さい場合にはＣＰ長を小さくすることができる。一方、窓関数によるフィルタリング後加算処理を行う、実施の形態１で示した図２におけるａの部分は、長い方が平均化の効果が高くなり干渉成分を抑制する効果が高くなる。また、雑音成分についても平均化による抑圧効果が大きくなりＳＮ比を高める効果がある。そこで、本実施の形態では、受信したフレーム（シンボル）から遅延波の遅延量を算出し、遅延量に応じて図２におけるａの部分の長さを変更する場合の例を示す。
【００３６】
図５は、実施の形態２の受信装置の構成例を示す図である。図５に示した受信装置１ａは、実施の形態１で示した受信装置１（図１参照）と比較して、切り出し制御部１８および波形整形部１９に代えて切り出し整形部１８ａおよび波形整形部１９ａを備え、さらに、遅延測定部３１が追加された構成をとる。なお、その他の部分については実施の形態１の受信装置１と同様であるため、その説明は省略する。
【００３７】
本実施の形態の受信装置１ａでは、遅延量算出手段としての機能を有する遅延測定部３１は、ＡＤＣ部１６からの入力信号およびＦＦＴ部２０からの入力信号、すなわち、受信したフレームの時間領域データ及び周波数領域データに基づいて、各遅延波の遅延量を算出し、算出した遅延量の中で最大のものを最終的な遅延量として出力する。
【００３８】
切り出し制御部１８ａは、同期制御部１７の出力及び遅延測定部３１が算出した遅延量に従ってＦＦＴ部２０への入力データとするデータの切り出し及び窓関数によるフィルタリング処理を行う。波形整形部１９ａは、切り出し制御部１８ａの出力に対して遅延測定部３１が算出した遅延量に応じたサンプル数分の加算処理を行い、ＦＦＴ部２０におけるＦＦＴ入力サンプル数分のデータを出力する。
【００３９】
ここで、遅延測定部３１において算出した遅延波の遅延量をτとし、τに相当するサンプル数をＮdとした場合、τ＝Ｎd・ｔsの関係が成り立つものとする。なお、ｔsはサンプリング間隔である。
【００４０】
受信装置１ａの切り出し制御部１８ａは、ＡＤＣ部１６から出力されたシンボル毎のデータ系列ｘi（ｉ＝０〜ＮT−１）に対して、ｉ＝Ｎd〜ＮT−１のデータを抜き出し、窓関数の離散系列ｗj（ｊ＝０〜ＮW2−１）との間で次式（４）に示した演算を行い、フィルタリング後の系列ｙj（ｊ＝０〜ＮW2−１）を得る。なお、ＮTは実施の形態１で示した各シンボルにおける入力データのサンプル数である。また、窓関数としては、実施の形態１で示した「シンボルの首尾の部分を加算して１となる条件を満たす窓関数」を使用する。
【００４１】
【数４】
0005199660.tif 000005
但し、ＮW2は、ＮW2＝ＮT−Ｎdの関係を満たすものとする。
【００４２】
波形整形部１９ａは、ｙjのｊ＝０〜ＮW2−Ｎf−１とｊ＝Ｎf〜ＮW2−１の区間の加算処理を実行し、得られたｚk（ｋ＝０〜Ｎf−１）をＦＦＴ部２０に対して出力する。これは、加算処理を実行する区間が異なる点を除いて、実施の形態１の波形整形部１９が実行する加算処理と同じ処理である。なお、Ｎfは、実施の形態１で示したＦＦＴのサンプル数である。
【００４３】
このように、本実施の形態では、対向する送信側の通信装置（送信機）から到来した遅延波の遅延量を算出し、遅延量に応じて切り出すデータサンプル数を変更し加算処理を行う区間の長さを変更するようにした。これにより、無駄なく干渉成分を抑圧することができ、特に遅延量が少ない場合にチャネル間の干渉成分の抑圧効果が高くなり、また、ＳＮ比の改善効果も高くなる。
【００４４】
実施の形態３．
つづいて、実施の形態３の受信装置に関して説明する。上述した実施の形態２では、ＦＦＴを実行するデータ系列を生成するにあたって加算処理を実行する区間の長さを遅延波の遅延量に応じて変更する場合の例について説明したが、本実施の形態では、保持している制御情報に従って、加算処理を行う区間の長さを変更する場合の例について説明する。
【００４５】
図６は、実施の形態３の受信装置の構成例を示す図である。図６に示した受信装置１ｂは、実施の形態１で示した受信装置１（図１参照）と比較して、切り出し制御部１８および波形整形部１９に代えて切り出し整形部１８ｂおよび波形整形部１９ｂを備え、さらに、加算区間情報保持部４１が追加された構成をとる。なお、その他の部分については実施の形態１の受信装置１と同様であるため、その説明は省略する。
【００４６】
情報保持手段としての機能を有する加算区間情報保持部４１は、切り出し制御部１８ｂが動作を行うにあたって参照する情報として、切り出すデータ数および窓関数の時間幅を保持し、また、波形整形部１９Ｂが動作を行うにあたって参照する情報として、切り出し制御部１８ｂによるフィルタリング後のデータ系列（切り出し制御部１８ｂからの出力系列）の加算区間を示す情報を保持する。以下、加算区間情報保持部４１が保持している情報を総称して加算区間情報と呼ぶ。
【００４７】
本実施の形態の受信装置１ｂによる信号受信処理では、切り出し制御部１８ｂは、同期制御部１７の出力及び加算区間情報保持部４１が保持している加算区間情報に従ってＦＦＴ部２０への入力データとするデータの切り出し及び窓関数によるフィルタリング処理を行う。波形整形部１９ｂは、切り出し制御部１８ｂの出力に対して加算区間情報保持部４１が保持している加算区間情報に応じたサンプル数分の加算処理を行い、ＦＦＴ部２０におけるＦＦＴ入力サンプル数分のデータを出力する。
【００４８】
なお、加算区間情報は、対向する送信機が無線通信システムの基地局などである場合には報知情報として受信装置に通知されるようにしてもよいし、上位層からの指示により更新されるようにしてもよい。受信装置は、新たな加算区間情報が通知されるまで、保持している加算区間情報に従った処理を実行する。
【００４９】
ここで、加算区間情報保持部４１が保持している加算区間情報が示す加算区間に相当するサンプル数をＮcとする。
【００５０】
受信装置１ｂの切り出し制御部１８ｂは、ＡＤＣ部１６から出力されたシンボル毎のデータ系列ｘi（ｉ＝０〜ＮT−１）に対して、ｉ＝ＮT−Ｎf−Ｎc〜ＮT−１のデータを抜き出し、窓関数の離散系列ｗj（ｊ＝０〜ＮW3−１）との間で次式（５）に示した演算を行い、フィルタリング後の系列ｙj（ｊ＝０〜ＮW3−１）を得る。なお、ＮTは実施の形態１で示した各シンボルにおける入力データのサンプル数であり、Ｎfは実施の形態１で示したＦＦＴのサンプル数である。また、窓関数としては、実施の形態１で示した「シンボルの首尾の部分を加算して１となる条件を満たす窓関数」を使用する。
【００５１】
【数５】
0005199660.tif 000006
但し、ＮW3は、ＮW3＝Ｎf＋Ｎcの関係を満たすものとする。
【００５２】
波形整形部１９ｂは、ｙjのｊ＝０〜ＮW3−Ｎf−１とｊ＝Ｎf〜ＮW3−１の区間の加算処理を実行し、得られたｚk（ｋ＝０〜Ｎf−１）をＦＦＴ部２０に対して出力する。これは、加算処理を実行する区間が異なる点を除いて、実施の形態１の波形整形部１９が実行する加算処理と同じ処理である。なお、Ｎfは、実施の形態１で示したＦＦＴのサンプル数である。
【００５３】
このように、本実施の形態では、ＦＦＴ処理の対象とするデータ系列の生成処理にて加算処理を実行する区間を示す制御情報（加算区間情報）を保持しておき、その情報に従って入力データの切り出し、窓関数によるフィルタリングおよび加算処理を行うようにした。これにより、例えば伝搬路の状況に応じて加算区間を変更するなどの制御を行うことが可能となり、干渉成分の抑圧を効果的に行うことができる。
【００５４】
実施の形態４．
つづいて、実施の形態４の受信装置に関して説明する。上述した実施の形態３では、保持している制御情報が示す区間を対象として加算処理を行う場合の例について説明したが、本実施の形態では、窓関数によるフィルタリング及び一部データの加算処理を伴った受信処理とこれらを伴わない受信処理とを切り替え可能な受信装置について説明する。
【００５５】
図７は、実施の形態４の受信装置の構成例を示す図である。図７に示した受信装置１ｃは、実施の形態１で示した受信装置１（図１参照）と比較して、切り出し制御部１８、波形整形部１９およびＦＦＴ部２０に代えて、切り出し整形部１８ｃ、波形整形部１９ｃおよびＦＦＴ部２０ｃを備え、さらに、バイパス制御部５１が追加された構成をとる。なお、その他の部分については実施の形態１の受信装置１と同様であるため、その説明は省略する。
【００５６】
判断手段としての機能を有するバイパス制御部５１は、切り出し制御部１８ｃおよび波形整形部１９ｃにおける、窓関数によるフィルタリング処理および一部データの加算処理を行うか否かを指示する。
【００５７】
切り出し制御部１８ｃは、バイパス制御部５１からの指示に従い、窓関数によるフィルタリング処理を行わない場合、ＡＤＣ部１６の出力データからＦＦＴ部２０ｃにおけるＦＦＴサンプル数分のデータを切り出し、ＦＦＴ部２０ｃへ出力する。一方、フィルタリング処理を行う場合には、ＡＤＣ部１６の出力データからＦＦＴ部２０ｃにおけるＦＦＴサンプル数よりも多いサンプル数のデータを切り出し窓関数によるフィルタリングを行った後、波形整形部１９ｃへ出力する。
【００５８】
波形整形部１９ｃは、バイパス制御部５１から波形整形を行うように指示を受けた場合、切り出し制御部１８ｃの出力データに対して一部データの加算処理を行った後ＦＦＴ部２０ｃへ出力する。なお、切り出し制御部１８ｃから窓関数によるフィルタリング処理が実行されたデータが出力される場合、波形整形を行うようにバイパス制御部５１から指示を受ける。
【００５９】
ＦＦＴ部２０ｃは、バイパス制御部５１からの指示に従い、切り出し制御部１８ｃおよび波形整形部１９ｃが、窓関数によるフィルタリング処理及び一部データの加算処理を行う場合には、波形整形部１９ｃの出力データを選択してＦＦＴ処理を実行し、一方、上記処理を行わない場合には、切り出し制御部１８ｃから直接受け取ったデータを選択してＦＦＴ処理を実行する。
【００６０】
なお、窓関数によるフィルタリング処理及び一部データの加算処理を行うか否かに関しては、たとえば、受信フレーム内に制御情報を持たせる構成とすることにより実現する。また、上位層からの指示に従うように構成して実現してもよい。
【００６１】
切り出し制御部１８ｃおよび波形整形部１９ｃにおいて窓関数によるフィルタリング処理及び一部データの加算処理を行う場合には、実施の形態１の場合と同様に動作する。一方、窓関数によるフィルタリング処理及び一部データの加算処理を行わない場合、切り出し制御部１８ｃは、ＡＤＣ部１６から受け取った、シンボル毎のＡＤ変換後のデータ系列ｘi（ｉ＝０〜ＮT−１）に対して、ｉ＝ＮT−Ｎf〜ＮT−１のデータを抜き出して得られたデータ系列ｚk（ｋ＝０〜Ｎf−１）をＦＦＴ部２０ｃに対して出力する。
【００６２】
また、本実施の形態では、実施の形態１の受信装置１に対してバイパス制御部５１を追加する場合の例について説明したが、実施の形態２の受信装置１ａ（図５参照）および実施の形態３の受信装置１ｂ（図６参照）に対してバイパス制御部５１を追加するようにしてもよい。たとえば実施の形態２の受信装置１ａに対してバイパス制御部５１を追加する場合、バイパス制御部５１は、遅延測定部３１により算出された遅延量の中の最大値が所定の値よりも小さく、一部データの加算処理を行っても大きな品質改善が期待できない場合（元々の品質が良い場合）には、窓関数によるフィルタリング処理及び一部データの加算処理を行わないように、切り出し制御部および波形整形部を制御する。
【００６３】
また、実施の形態３の構成と組み合わせる場合には、加算区間情報を取得するまでは（加算区間情報を保持していない状態では）フィルタリング処理を行わず、加算区間情報を取得した場合、それ以降は取得した加算区間情報に従ってフィルタリング処理を行うように構成することも可能である。
【００６４】
このように、本実施の形態では、窓関数によるフィルタリング処理及び一部データの加算処理を行うか否かを切り替えることができるように構成した。これにより、例えば、対向する送信機との間で周波数偏差が大きく干渉成分の抑圧が必要なときだけフィルタリング処理を行うようにする、ＣＰ長に対して遅延波の遅延量が大きく十分な加算期間が得られない場合にはフィルタリング処理は行わないようにする、など、条件に応じて動作を変更することができ、フィルタリング処理が必要ない場合やフィルタリング処理による十分な受信品質改善が見込めない場合には、消費電力の増加を抑制でき、また、フィルタリングによる処理遅延の増加を防止できる。
【産業上の利用可能性】
【００６５】
以上のように、本発明にかかる受信装置は、無線通信システムを構成する通信装置に有用であり、特に、ＯＦＤＭ方式を適用した無線通信システムにおいて、マルチパスなどが存在する環境下で受信品質が劣化するのを抑えた通信を実現する受信装置に適している。
【図面の簡単な説明】
【００６６】
【図１】本発明にかかる受信装置の実施の形態１の構成例を示す図である。
【図２】受信シンボルと窓関数の対応関係の一例を示す図である。
【図３】波形整形部におけるデータ処理の一例を示す図である。
【図４】本発明にかかる受信装置が使用する窓関数の一例を示す図である。
【図５】本発明にかかる受信装置の実施の形態２の構成例を示す図である。
【図６】本発明にかかる受信装置の実施の形態３の構成例を示す図である。
【図７】本発明にかかる受信装置の実施の形態４の構成例を示す図である。
【図８】ＯＦＤＭにおけるデータの変復調単位であるシンボルを示す図である。
【図９】マルチパスが存在する伝送環境下で複数の反射波が受信側に到来するタイミングの例を示した図である。
【符号の説明】
【００６７】
１、１ａ、１ｂ、１ｃ  受信装置
１１  アンテナ
１２  バンドパスフィルタ（ＢＰＦ）部
１３  ミキサ
１４  局部発振器（ＬＯ部）
１５  ローパスフィルタ（ＬＰＦ）部
１６  ＡＤ変換（ＡＤＣ）部
１７  同期制御部
１８、１８ａ、１８ｂ、１８ｃ  切り出し制御部
１９、１９ａ、１９ｂ、１９ｃ  波形整形部
２０、２０ｃ  ＦＦＴ部
２１  復調部
３１  遅延測定部
４１  加算区間情報保持部
５１  バイパス制御部
【図１】
0005199660.tif 000007
【図２】
0005199660.tif 000008
【図３】
0005199660.tif 000009
【図４】
0005199660.tif 000010
【図５】
0005199660.tif 000011
【図６】
0005199660.tif 000012
【図７】
0005199660.tif 000013
【図８】
0005199660.tif 000014
【図９】
0005199660.tif 000015